(57)【要約】【課題】  従来、編集の処理方法によって、可能な編集に制限があった。また従来、編集の処理方法によって、編集処理に時間がかかってユーザーの操作感を損ねていた。【解決手段】  イメージエディタで直接原画像に修正を加える動作モードと編集作業過程を記録する動作モードとを持ち、編集途中でも動作モードを切り替え可能とする。  日時指定ＵＩ手段をもつことで、ユーザーの作業の妨げにならない時間を選択して、画像編集作業を実行する。  ユーザーの操作に応じて原画像を使用することが必要か否かを判定して、モード切り替え警告を表示し自動でモード切り替えを行う。【選択図】  図３
2007274405.tif 000002
【特許請求の範囲】
【請求項１】
原画像とは別に、あらかじめ原画像を縮小しておいた低解像度画像に対して編集操作を行い、編集作業の過程を記憶し、編集作業の過程に従って原画像の編集を行うシステムにおいて、
直接原画像に修正を加える動作モードと編集作業過程を記録する動作モードとを持ち、
編集途中に動作モードを切り替える、動作モード切り替えＵＩ手段と、
原画像の編集に対応して低解像度画像を生成し保持する低解像度画像生成手段とを持つ、画像編集システム。
【請求項２】
請求項１記載の画像編集システムにおいて、
指定した日時で原画像に対する画像編集作業を実行させるスケジュール手段と、
スケジュール手段に日時を指定可能な日時指定ＵＩ手段をもち、
ユーザーが時間を選択して画像編集作業を実行することが可能であることを特徴とする画像編集システム。
【請求項３】
請求項１記載の画像編集システムにおいて、
ユーザーの操作ごとに、原画像を使用する必要があるか否かを判定する原画像要否判定手段を持ち、
モード切り替え警告を表示するＵＩ手段と、
自動モード切り替え手段とを持ち、
編集作業過程を記録する動作モードで編集作業中であっても、原画像に対して画像認識が必要となる操作が必要な場合に、自動で動作モードを切り替えて画像編集作業を実行することが可能であることを特徴とする画像編集システム。
【発明の詳細な説明】
【技術分野】
【０００１】
本発明は、高解像度の画像データを読み取って印刷を行う文書処理システムの、画像の編集処理に関わる画像編集方法及びそのシステムに関するもので、特にパーソナルコンピュータ等の情報処理装置とプリンタおよびスキャナあるいは複合機から成るシステムにおける画像編集方法及びそのシステムに関するものである。
【背景技術】
【０００２】
従来、画像読み取り編集装置で読み取った原寸大画像（原画像）を直接編集する文書処理システムでは、ユーザーの編集操作に従ってその都度原画像の編集を行っていた。そのため、編集処理が行われている間はユーザー操作が中断され、ユーザーの編集操作の操作感を損ねるという問題が知られている。
【０００３】
そこで、原画像とは別の、あらかじめ原画像を縮小しておいた低解像度画像に対してユーザーの編集操作を行わせ、その操作に従って拡大・縮小・回転・切出し等の編集作業の過程を記憶し、編集作業終了直後あるいは当該データの印刷直前に、低解像度画像の編集作業過程に従って原画像の編集を行うシステムが考案されている。
【０００４】
また、記憶した編集作業を原画像に対して反映する編集作業をバックグラウンドジョブとして実行することが提案されている。（特許文献１）
【特許文献１】特公平０５−０８４９４１号公報
【発明の開示】
【発明が解決しようとする課題】
【０００５】
しかしながらそれらのシステムでは、低解像度画像をもとに操作を行うため、原画像に対して画像認識が必要となる操作は、実行することができない。そのため、画像編集の操作に制限が生じていた。
【０００６】
また、原画像の編集には比較的多くのコンピュータ資源を必要とする。印刷直前に原画像の編集を行うシステムでは、ユーザーの印刷実行指示から印刷動作が開始されるまでに時間がかかる。原画像の編集操作をバックグラウンドジョブとして実行するシステムでは、バックグラウンドジョブ実行中、コンピュータの動作が遅くなる。いずれにせよ処理時間が必要になるが、いずれの処理もシステムによって一意に動作が規定されていたため、途中で切り替えることはできず、ましてやユーザーの都合の良い時間を選択して処理を行わせることはできなかった。
【課題を解決するための手段】
【０００７】
原画像とは別の、あらかじめ原画像を縮小しておいた低解像度画像に対してユーザーの編集操作を行わせ、その操作に従って拡大・縮小・回転・切出し等の編集作業の過程を記憶し、編集作業終了直後あるいは当該データの印刷直前に、低解像度画像の編集作業過程に従って原画像の編集を行うシステムであって、直接原画像に修正を加える動作モードと編集作業過程を記録する動作モードとを持ち、編集途中に動作モードを切り替える、動作モード切り替えＵＩ手段と、原画像の修正に対応して低解像度画像を生成し保持する低解像度画像生成手段とを持つことで、原画像に直接修正を加える動作モードであっても低解像度画像を保持することが可能になり、編集途中でも動作モードを切り替え可能になる。
【０００８】
また、指定した日時で原画像に対する画像編集作業を実行させるスケジュール手段と、スケジュール手段に日時を指定可能な、日時指定ＵＩ手段をもつことで、動作モードの切り替え指定と合わせて、ユーザーの作業の妨げにならない時間を選択して、画像編集作業を実行することが可能になる。
【０００９】
さらに、編集作業過程を記録する動作モードで、ユーザーの操作に応じて原画像を使用することが必要か否かを判定する原画像要否判定手段を持ち、モード切り替え警告を表示し自動でモード切り替えを行う自動モード切り替え手段を持つことで、編集作業過程を記録する動作モードで編集作業中であっても、原画像に対して画像認識が必要となる操作をシームレスに動作モードを切り替えて実行可能になる。
【発明の効果】
【００１０】
以上、本発明によれば、画像編集システムにおいて、原画像に直接修正を加える動作モードであっても低解像度画像を保持することが可能になり、編集途中でも動作モードを切り替え可能になる。
【００１１】
指定した日時で原画像に対する画像編集作業を実行させることが可能で、ユーザーの作業の妨げにならない時間を選択して、画像編集作業を実行することが可能になる。
【００１２】
さらに、ユーザーの操作に応じて原画像の必要性を判定することで、編集作業過程を記録する動作モードで編集作業中であっても、原画像に対して画像認識が必要となる操作をシームレスに動作モードを切り替えて実行可能になる。
【発明を実施するための最良の形態】
【００１３】
［本実施形態の文書処理システムの概要］
本発明の第１の実施形態である文書処理システムの概要を、図１〜図１５を参照して説明する。
【００１４】
＜本実施形態の文書処理システムのソフトウェア構成例＞
図１は、本実施形態の文書処理システムのソフトウェア構成を示す図である。
【００１５】
文書処理システムは、本発明の文書処理装置（情報処理装置）の好適な実施形態であるデジタルコンピュータ１００（以下、ホストコンピュータとも呼ばれる）によって実現されている。画像データは、後述の製本アプリケーション１０４により、電子原稿ファイル１０３に変換される。電子原稿ファイルの実質的な標準形式としては、例えばアドビシステムズによるＰＤＦ形式や、ＳＶＧ形式などが電子原稿ファイルとして採用できる。この時点の電子原稿ファイルは、単に原稿の各ページを記述したものに過ぎず、製本アプリケーション１０４はさらに、ページ単位の原稿を詳細な書式をもって表現可能な、形式を備えた電子原稿ファイルとして完成させる。以下では、この点を明瞭に識別する必要がある際には、原稿の各ページを記述したファイルを電子原稿ファイルと呼び、製本アプリケーションによって構造を与えられた電子原稿ファイルをブックファイルと呼ぶ。また、特に区別する必要がない場合は、いずれも文書ファイル（または文書データ）と呼ぶ。
【００１６】
画像はページ（以後、「論理ページ」あるいは「原稿ページ」と呼ぶ。）を単位とする電子原稿形式に変換され、電子原稿ファイル１０３としてハードディスクなどの記憶媒体に格納される。
【００１７】
なお、ハードディスクは、本実施形態の文書処理システムを実現するコンピュータが備えているローカルドライブであってもよいし、ネットワークに接続されている場合にはネットワーク上に提供されるドライブであっても良い。
【００１８】
製本アプリケーション１０４は、電子原稿ファイルを画像データから生成し、あるいはブックファイル１０３を読み込み、それを編集するための機能を利用者に提供する。製本アプリケーション１０４は、後述する章やブックの構造を、ページを最小単位として編集するための機能を提供している。また、エディタ１０８を起動することで各ページの内容を編集する機能も提供している。エディタ１０８は、製本アプリケーションと共にコンピュータ内にインストールされるプログラムモジュールであり、電子原稿ファイルのページ内容自体を編集するために使用されるモジュールである。
【００１９】
製本アプリケーション１０４によって編集されたブックファイル１０３を印刷する際には、製本アプリケーション１０４によって電子原稿デスプーラ１０５が起動される。電子原稿デスプーラ１０５は、製本アプリケーションと共にコンピュータ内にインストールされるプログラムモジュールであり、製本アプリケーションで利用するドキュメント（ブックファイル）を印刷する際に、プリンタドライバへ描画データを出力するために使用されるモジュールである。電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する。その際に、出力デバイスとして使用されるプリンタ１０７のドライバ１０６がデバイスドライバとして指定される。出力モジュールは、指定されたプリンタ１０７のプリンタドライバ１０６を用いて受信した出力コマンドを、プリンタ１０７で解釈実行可能なデバイスコマンドに変換する。そしてデバイスコマンドはプリンタ１０７に送信され、プリンタ１０７によってコマンドに応じた画像が印刷される。
【００２０】
あるいは、プリンタ１０７が電子原稿形式を直接解釈可能である場合、電子原稿デスプーラ１０５は、電子原稿形式データ及び印刷指示をプリンタ１０７に送信する。電子原稿デスプーラ１０５は、指定されたブックファイルをハードディスクから読み出し、ブックファイルに記述された形式で各ページを印刷するために、プリンタ１０７に適合するデバイスコマンドを生成し、不図示の出力モジュールに出力する。出力モジュールは、デバイスコマンドをプリンタ１０７に送信し、プリンタ１０７によってコマンドに応じた画像が印刷される。
【００２１】
＜本実施形態の文書処理システムのハードウェア構成例＞
図２は、本実施形態の文書処理システムのハードウェア構成を示す図である。図２において、ホストコンピュータ１００は、ＲＯＭ２０３内のプログラム用ＲＯＭあるいは外部メモリ２１１に記憶された文書処理プログラム等に基づいて図形、イメージ、文字、表（表計算等を含む）等が混在した文書処理を実行するＣＰＵ２０１を備え、システムバス２０４に接続される各デバイスをＣＰＵ２０１が総括的に制御する。また、このＲＯＭ２０３内のプログラム用ＲＯＭあるいは外部メモリ２１１には、ＣＰＵ２０１の制御プログラムであるオペレーティングシステムプログラム等を記憶し、ＲＯＭ２０３内のフォント用ＲＯＭあるいは外部メモリ２１１には上記文書処理の際に使用するフォントデータ等を記憶し、ＲＯＭ２０３内のデータ用ＲＯＭあるいは外部メモリ２１１には上記文書処理等を行う際に使用する各種データを記憶する。ＲＡＭ２０２は、ＣＰＵ２０１の主メモリ、ワークエリア等として機能する。
【００２２】
キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ（ＣＲＴ）２１０の表示を制御する。２０７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フレキシブルディスク（ＦＤ）等の外部メモリ２１１とのアクセスを制御する。プリンタコントローラ（ＰＲＴＣ）２０８は、双方向性インタフェース（インタフェース）２１を介してプリンタ１０７に接続されて、プリンタ１０７との通信制御処理を実行する。ＮＣ２１２はネットワークに接続されて、ネットワークに接続された他の機器との通信制御処理を実行する。
【００２３】
なお、ＣＰＵ２０１は、例えばＲＡＭ２０２上に設定された表示情報ＲＡＭへのアウトラインフォントの展開（ラスタライズ）処理を実行し、ＣＲＴ２１０上でのＷＹＳＩＷＹＧを可能としている。また、ＣＰＵ２０１は、ＣＲＴ２１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００２４】
プリンタ１０７は、ＣＰＵ３１２により制御される。プリンタのＣＰＵ３１２は、ＲＯＭ３１３内のプログラム用ＲＯＭに記憶された制御プログラム等あるいは外部メモリ３１４に記憶された制御プログラム等に基づいてシステムバス３１５に接続される印刷部（プリンタエンジン）３１７に出力情報としての画像信号を出力する。また、このＲＯＭ３１３内のプログラムＲＯＭには、ＣＰＵ３１２の制御プログラム等を記憶する。ＲＯＭ３１３内のフォント用ＲＯＭには上記出力情報を生成する際に使用するフォントデータ等が記憶され、ＲＯＭ３１３内のデータ用ＲＯＭには、ハードディスク等の外部メモリ３１４がないプリンタの場合には、ホストコンピュータ上で利用される情報等が記憶されている。
【００２５】
ＣＰＵ３１２は入力部３１８を介してホストコンピュータとの通信処理が可能となっており、プリンタ内の情報等をホストコンピュータ１００に通知できる。ＲＡＭ３１９は、ＣＰＵ３１２の主メモリや、ワークエリア等として機能するＲＡＭで、図示しない増設ポートに接続されるオプションＲＡＭによりメモリ容量を拡張することができるように構成されている。なお、ＲＡＭ３１９は、出力情報展開領域、環境データ格納領域、ＮＶＲＡＭ等に用いられる。前述したハードディスク（ＨＤ）、ＩＣカード等の外部メモリ３１４は、メモリコントローラ（ＭＣ）２０によりアクセスを制御される。外部メモリ３１４は、オプションとして接続され、フォントデータ、エミュレーションプログラム、フォームデータ等を記憶する。また、３２１は前述した操作パネルで、操作のためのスイッチ及びＬＥＤ表示器等が配されている。
【００２６】
また、前述した外部メモリ３１４は１個に限らず、複数個備えられ、内蔵フォントに加えてオプションカード、言語系の異なるプリンタ制御言語を解釈するプログラムを格納した外部メモリを複数接続できるように構成されていてもよい。更に、図示しないＮＶＲＡＭを有し、操作パネル３２１からのプリンタモード設定情報を記憶するようにしてもよい。
【００２７】
＜電子原稿データ形式の例＞
編集アプリケーション１０４の詳細を言及する前に、ブックファイルのデータ形式を説明する。ブックファイルは紙媒体の書物を模した３層の層構造を有する。上位層は「ブック」と呼ばれ、１冊の本を模しており、その本全般に係る属性が定義されている。その下の中間層は、本でいう章に相当し、やはり「章」と呼ばれる。各章についても、章ごとの属性が定義できる。下位層は「ページ」であり、アプリケーションプログラムで定義された各ページに相当する。各ページついてもページごとの属性が定義できる。ひとつのブックは複数の章を含んでいてよく、また、ひとつの章は複数のページを含むことができる。
【００２８】
図３は、ブックファイルの形式の一例を模式的に示す図である。この例のブックファイルにおける、ブック、章、ページは、それぞれに相当するノードにより示されている。ひとつのブックファイルはひとつのブックを含む。ブック、章は、ブックとしての構造を定義するための概念であるから、定義された属性値と下位層へのリンクとをその実体として含む。ページは、その属性値のほか、原稿ページの実体（原稿ページデータ）と各原稿ページデータへのリンクを含む。尚、紙媒体等に出力する際の印刷ページは複数の原稿ページを含む場合がある。この構造に関してはリンクによって表示されず、ブック、章、ページ各階層における属性として表示される。
【００２９】
図３では、ブックファイルが１つの完結したブックである必要はないので、「ブック」を「文書」として一般化して記載している。
【００３０】
まず最上位に文書情報４０１を持つ。文書情報４０１は４０２〜４０４の３つのパートに大別できる。文書制御情報４０２は、文書ファイルのファイルシステムにおけるパス名などの情報を保持する。文書設定情報４０３は、ページレイアウトなどのレイアウト情報とステイプルなど印刷装置の機能設定情報を保持し、ブックの属性に相当する。章情報リスト４０４は、文書を構成している章の集合をリスト形式で保持する。リストが保持するのは章情報４０５である。
【００３１】
章情報４０５も４０６〜４０８の３つのパートに大別できる。章制御情報４０６は、章の名称などの情報を保持する。章設定情報４０７は、その章特有のページレイアウトやステイプルの情報を保持し、章の属性に相当する。章ごとに設定情報をもつことで最初の章は２UPのレイアウトその他の章は４UPのレイアウトのように複雑なレイアウトを持った文書を作成することが可能である。ページ情報リスト４０８は各章を構成する原稿ページの集合リスト形式で保持している。ページ情報リスト４０８が指示するのは、ページ情報データ４０９である。
【００３２】
ページ情報データ４０９も４１０〜４１２の３つのパートに大別される。ページ制御情報４１０は、ツリー上に表示するページ番号などの情報を保持する。ページ設定情報４１１は、ページ回転角やページの配置位置情報などの情報を保持し、原稿ページの属性に相当する。ページリンク情報４１２は、ページに対応する原稿データである。この例では、ページ情報４０９が直接原稿データを持つのではなく、リンク情報４１２だけをもち、実際の原稿データは、ページデータ４１３で保持する構成としている。
【００３３】
ページデータ４１３は、原画像データ４１７および、低解像度データ４１８、修正コマンドリスト４１９から成り、それぞれのデータへのリンク情報を保持している。修正コマンドリスト４１９は、修正作業を行っていない場合には、リンク先が存在しない場合もある。
【００３４】
＜本実施形態の文書処理システムの操作手順例＞
図４は、本実施形態の文書処理システムにおいて、ユーザーが画像から文書ファイルを生成する際の処理手順の一例を示したものである。
【００３５】
ユーザーが指定した画像は、前述の製本アプリケーション１０４により電子原稿ファイル１０３に変換される（Ｓ４０１）。製本アプリケーション１０４はさらに、詳細な書式を付加することでブックファイルを生成する（Ｓ４０２）。
次に、ブックファイルの原画像データ４１７から低解像度画像を作成し（Ｓ４０３）、低解像度データ４１８として保存する。
【００３６】
図５から８は、本実施形態の文書処理システムにおいて、エディタ１０８を起動して各ページの画像修正を行う際の、処理手順の一例を示したものである。
【００３７】
エディタ１０８は、直接原画像データに修正を加える原画像編集モードと、編集作業過程を記録して、後のタイミングで実際に原画像データを修正する編集過程記録モードとを持ち、そのどちらで動作するかは、ユーザーがエディタ１０８上で選択可能である。ユーザーが始めてエディタ１０８を起動する際の初期状態では、編集過程記録モードが選択される。その後はユーザーの選択に応じて、どちらのモードで起動するかが決定される（Ｓ５０１）。
【００３８】
編集過程記録モードで起動した場合を図６のフローチャートで説明する。まず、ユーザーの編集操作のために低解像度データ４１８を用いて画面表示する（Ｓ６０１）。ユーザーが画像修正操作を行うと、ユーザーが行った操作が原画像に対する修正が必要な操作であるか、判断される（Ｓ６０２、Ｓ６０３）。ここで原画像に対する修正が必要な操作とは、黒点除去・厳密な傾き補正・厳密な方向検知など画像認識が必要な処理、あるいは、フィルタ処理・色処理・ピクセル等倍の拡大編集など原画像のピクセル単位で編集が必要な処理を指す。
【００３９】
これら原画像に対する修正が必要と判断された場合（Ｓ６０３）、図１１に示されるようなモード切り替え警告を表示し（Ｓ６１１）、ユーザーが編集モードの切り替えを選択した場合（Ｓ６１２）、修正コマンドリスト４１９に保存された修正操作を順次原画像に適用する（Ｓ６１３）。そして、更新された原画像に対して、ユーザーの操作に従って原画像を修正する（Ｓ６１４）。その後、修正された原画像を元に、低解像度画像を更新し（Ｓ６１５）保存する（Ｓ６１６）。その後は図７に示す、原画像編集モードで動作する。ユーザーが編集モードの切り替えを選択しなかった場合（Ｓ６１２）、ユーザーの操作をキャンセルし、編集過程記録モードの動作を継続する。
【００４０】
原画像に対する修正が不要と判断された場合（Ｓ６０３）、ユーザーの操作に従って画像修正コマンドを作成し（Ｓ６０４）、修正コマンドリスト４１９に追加する（Ｓ６０５）。そして、保存した修正操作を低解像度画像に適用し（Ｓ６０６）、更新された低解像度画像を保存する（Ｓ６０７）。そして低解像度画像でプレビューを更新する（Ｓ６０８）。その後、ユーザーが編集モードの切り替え操作を行った場合は（Ｓ６０９）動作モードを変更し、原画像編集モードで動作する。ユーザーが編集モードの切り替え操作を行わない場合、編集過程記録モードの動作を継続する。そして、ユーザーがエディタ１０８の終了を選択するまで（Ｓ６１０）、エディタの動作が継続される。
【００４１】
エディタ１０８を編集過程記録モードで起動した場合の処理を、以上のように構成することで、原画像編集モードへの切り替えが随時可能であるとともに、現在の動作モードにかかわらず、すべての画像処理を指定することが可能になる。
編集過程記録モードで起動した場合を図６のフローチャートで説明する。まず、ユーザーの編集操作のために低解像度データ４１８を用いて画面表示する（Ｓ６０１）。ユーザーが画像修正操作を行うと、ユーザーが行った操作が原画像に対する修正が必要な操作であるか、判断される（Ｓ６０２、Ｓ６０３）。ここで原画像に対する修正が必要な操作とは、黒点除去・厳密な傾き補正・厳密な方向検知など画像認識が必要な処理、あるいは、フィルタ処理・色処理・ピクセル等倍の拡大編集など原画像のピクセル単位で編集が必要な処理を指す。
【００４２】
これら原画像に対する修正が必要と判断された場合（Ｓ６０３）、図１１に示されるようなモード切り替え警告を表示し（Ｓ６１１）、ユーザーが編集モードの切り替えを選択した場合（Ｓ６１２）、修正コマンドリスト４１９に保存された修正操作を順次原画像に適用する（Ｓ６１３）。そして、更新された原画像に対して、ユーザーの操作に従って原画像を修正する（Ｓ６１４）。その後、修正された原画像を元に、低解像度画像を更新し（Ｓ６１５）保存する（Ｓ６１６）。その後は図７に示す、原画像編集モードで動作する。ユーザーが編集モードの切り替えを選択しなかった場合（Ｓ６１２）、ユーザーの操作をキャンセルし、編集過程記録モードの動作を継続する。
【００４３】
また、別の実施例としては、これら原画像に対する修正が必要と判断された場合（Ｓ６０３）、その修正内容に応じて、図１１に示されるようなモード切り替え警告または、図１３に示されるモード切り替えを促す警告を表示して操作をキャンセルする構成を取ることも可能である。
【００４４】
なお、別の実施例としては、原画像に対する修正が必要な操作であっても低解像度画像を原画像とみなして画像認識を行い、その処理内容をコマンドとして保持することで、プレビューと印刷結果に差違を生じさせず編集過程記録モードを保つ構成をとることも可能である。
【００４５】
原画像に対する修正が不要と判断された場合（Ｓ６０３）、ユーザーの操作に従って画像修正コマンドを作成し（Ｓ６０４）、修正コマンドリスト４１９に追加する（Ｓ６０５）。そして、保存した修正操作を低解像度画像に適用し（Ｓ６０６）、更新された低解像度画像を保存する（Ｓ６０７）。そして低解像度画像でプレビューを更新する（Ｓ６０８）。その後図１２に例示されるような、エディタ１０８上のユーザーインターフェイスを通してユーザーが編集モードの切り替え操作を行った場合は（Ｓ６０９）動作モードを変更し、原画像編集モードで動作する。ユーザーが編集モードの切り替え操作を行わない場合、編集過程記録モードの動作を継続する。そして、ユーザーがエディタ１０８の終了を選択するまで（Ｓ６１０）、エディタの動作が継続される。
【００４６】
エディタ１０８を編集過程記録モードで起動した場合の処理を、以上のように構成することで、原画像編集モードへの切り替えが随時可能であるとともに、現在の動作モードにかかわらずすべての画像処理を指定可能になる。
【００４７】
次に、エディタ起動時に原画像編集モードで起動した場合（Ｓ５０１）を図７のフローチャートで説明する。まず、ユーザーの編集操作のために原画像データ４１８を用いて画面表示する（Ｓ７０１）。ユーザーが画像修正操作を行うと（Ｓ７０２）、ユーザーの操作に従って原画像を修正する（Ｓ７０３）。その後、修正された原画像を元に、低解像度画像を更新し（Ｓ７０４）保存する（Ｓ７０５）。そして原画像でプレビューを更新する（Ｓ７０６）。その後図１２に例示されるような、エディタ１０８上のユーザーインターフェイスを通してユーザーが編集モードの切り替え操作を行った場合は（Ｓ７０７）、動作モードを変更し編集過程記録モードで動作する。ユーザーが編集モードの切り替え操作を行わない場合、原画像編集モードの動作を継続する。そして、ユーザーがエディタ１０８の終了を選択するまで（Ｓ７０８）、エディタの動作が継続される。
【００４８】
エディタ１０８を原画像編集モードで起動した場合の処理を、以上のように構成することで、編集過程記録モードへの切り替えが随時可能となる。
【００４９】
次にエディタ１０８終了時の修正コマンドリスト４１９の処理について、図８を用いて説明する。
【００５０】
ユーザーがエディタの終了を指示すると、修正コマンドリスト４１９にコマンドが存在するか確認する（Ｓ８０１）。コマンドがある場合、図１４に例示するような、処理日時をユーザーに選択させるＵＩを表示する（Ｓ８０２）。即時に処理することを指示された場合（Ｓ８０３）、修正コマンドリスト４１９に保存された修正操作を順次原画像に適用する（Ｓ８０４）。その後、修正された原画像を元に、低解像度画像を更新し（Ｓ８０５）保存する（Ｓ８０６）。
【００５１】
処理の予約時刻を指定された場合（Ｓ８０３）、処理予約の時刻を不図示のタイマーに通知し、処理時刻を記録して（Ｓ８０７）終了する。エディタ１０８が、予約された時刻に実行する処理の一例を示したのが図１０である。予約実行処理が開始されると、修正コマンドリスト４１９に保存された修正操作を順次原画像に適用する（Ｓ１００１）。そして更新された原画像を元に、低解像度画像を更新し（Ｓ１００２）保存する（Ｓ１００３）。
【００５２】
図９は、印刷処理が開始された後の処理の一例を示したものである。印刷処理が開始されると、修正コマンドリスト４１９にコマンドが存在するか確認する（Ｓ９０１）。コマンドがある場合、修正コマンドリスト４１９に保存された修正操作を順次原画像に適用する（Ｓ９０２）。そして更新された原画像を元に、低解像度画像を更新し（Ｓ９０３）保存する（Ｓ９０４）。その後、印刷を行う（Ｓ９０５）。
【００５３】
修正操作を順次原画像に適用する処理は、一般的に修正コマンドリストの量が多い場合時間がかかる。そこで、図１５に例示するような、印刷処理を継続するかユーザーに選択させるＵＩを表示する構成をとることも可能である。
【００５４】
以上説明した構成をとることで、原画像の更新にかかわらず修正コマンドリストを適用した後の画像が低解像度画像として保存されるため、製本アプリケーション１０４では低解像度画像を用いてプレビュー表示することで、あたかもすべての修正操作を原画像で行ったように表示することが可能となる。
【００５５】
また、修正コマンドリストの適用タイミングまでに複数回エディタで編集することが可能であるため、編集操作を複数回に分けて操作しても原画像の変換に伴う画質劣化は最小限にとどまる。
【００５６】
尚、本実施形態で示したフローチャートにおいて、その前後は処理が未完成にならない限り入れ替えることが可能である。
【００５７】
また、本発明は、複数の機器(例えばホストコンピュータ、インタフェース機
器、リーダ、プリンタなど)から構成されるシステムに適用しても、一つの機器からなる装置（複写機、プリンタ、ファクシミリ装置など）に適用してもよい。
【００５８】
また、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。この場合、記憶媒体から読み出されたプログラムコード自体が前述した実施形態の機能を実現することになり、そのプログラムコードを記憶した記憶媒体は本発明を構成することになる。
【００５９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６０】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００６１】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００６２】
【図１】本実施形態のスタンドアロン型の文書処理システムのソフトウェア構成例を示すブロック図である。
【図２】本実施形態の文書処理システムを実現するハードウェア構成例を示すブロック図である。
【図３】文書ファイルの構造の一例を示す図である。
【図４】文書ファイルの作成処理の一例を示すフローチャートである。
【図５】エディタの起動処理の一例を示すフローチャートである。
【図６】編集過程記録モードのエディタでの編集処理の一例を示すフローチャートである。
【図７】原画像編集モードのエディタでの編集処理の一例を示すフローチャートである。
【図８】エディタの終了処理の一例を示すフローチャートである。
【図９】印刷処理の一例を示すフローチャートである。
【図１０】画像修正の予約処理実行の一例を示すフローチャートである。
【図１１】編集モードの切り替え警告を示したユーザーインターフェイスの例を示す図である。
【図１２】編集モードの切り替え操作を指定するユーザーインターフェイスの例を示す図である。
【図１３】編集モードの切り替えを促す警告を示したユーザーインターフェイスの例を示す図である。
【図１４】修正コマンドリストの処理日時を選択するユーザーインターフェイスの例を示す図である。
【図１５】印刷処理を継続するか選択するユーザーインターフェイスの例を示す図である。
【図１】
2007274405.tif 000003
【図２】
2007274405.tif 000004
【図３】
2007274405.tif 000005
【図４】
2007274405.tif 000006
【図５】
2007274405.tif 000007
【図６】
2007274405.tif 000008
【図７】
2007274405.tif 000009
【図８】
2007274405.tif 000010
【図９】
2007274405.tif 000011
【図１０】
2007274405.tif 000012
【図１１】
2007274405.tif 000013
【図１２】
2007274405.tif 000014
【図１３】
2007274405.tif 000015
【図１４】
2007274405.tif 000016
【図１５】
2007274405.tif 000017